(57)【要約】【課題】機能制限するモードに設定された電子機器の状態を、電子機器に対する操作を妨げることなく容易に確認することが可能な電子機器を提供する。【解決手段】電子機器１０は、データを処理する複数の機能を実行し、複数の機能のうちの一部の機能を制限する機能制限モードを設定することができる。電子機器１０は、ユーザ操作に応じて入力されたデータを表示する。電子機器１０は、通信機器２０との通信に応じて、機能制限モードが設定されている場合に、機能制限モードが設定されている旨の表示を行うか又は機能制限モードが設定されている旨の情報を通信機器２０に送信する。【選択図】図８
2017174191.tif 000002
【特許請求の範囲】
【請求項１】
データを処理する複数の機能を実行する機能実行手段と、
前記複数の機能のうちの一部の機能を制限する機能制限モードを設定するモード設定手段と、
ユーザ操作に応じて入力されたデータを表示する入力データ表示手段と、
通信機器と通信する通信手段と、
前記通信機器との通信に応じて、前記機能制限モードが設定されている場合に、前記機能制限モードが設定されている旨の表示を行うか又は前記機能制限モードが設定されている旨の情報を前記通信機器に送信する設定情報表示送信手段と、
を備える電子機器。
【請求項２】
前記設定情報表示送信手段により表示、又は送信した後に、前記ユーザ操作により入力されたデータの表示状態にする表示制御手段を備える請求項１記載の電子機器。
【請求項３】
前記設定情報表示送信手段は、前記機能制限モードが設定されているか否かを示すモード設定情報の表示を行うか又は前記モード設定情報を前記通信機器に送信する、ことを特徴とする請求項１に記載の電子機器。
【請求項４】
前記設定情報表示送信手段は、前記機能制限モードが設定されている場合に、前記機能制限モードが設定されている旨の表示を行う請求項３記載の電子機器。
【請求項５】
前記通信機器との通信によって、前記機能制限モードの解除が通知された場合に、前記機能制限モードを解除するモード解除手段をさらに備える請求項１記載の電子機器。
【請求項６】
前記モード解除手段は、前記通信機器との通信に応じて、前記機能制限モードが設定されていることを示すモード設定情報を送信した後、前記機能制限モードの解除が通知されない場合に、前記機能制限モードを解除しない請求項５記載の電子機器。
【請求項７】
第１の時刻から第２の時刻までの時間が設定時間として記憶されている設定時間記憶手段と、
前記設定時間内で、電子機器が機能制限状態であるか否かを示す制限状態情報と前記電子機器の識別情報とを受信する第１受信手段と、
前記設定時間の経過後に、前記制限状態情報と前記電子機器の識別情報を受信する第２受信手段と、
前記第２受信手段により受信された前記電子機器の前記識別情報と同じ識別情報が前記第１受信手段により受信されており、前記第２受信手段により受信された制限状態情報が機能制限状態であることを示す場合、前記機能制限状態の解除を前記電子機器に通知する解除通知手段と、
を備える通信機器。
【請求項８】
前記電子機器の識別情報と前記電子機器に固有の情報を対応づけて記憶している機器情報記憶手段と、
前記第１受信手段により受信された制限状態情報に対応する情報と前記識別情報と対応づけて記録された前記固有の情報とを出力する情報出力手段とさらに備える請求項７に記載の通信機器。
【請求項９】
前記第２受信手段により受信された前記電子機器の前記識別情報と同じ識別情報が前記第１受信手段により受信されており、前記制限状態情報が機能制限状態ではないことを示す情報である場合、前記機能制限状態ではないことを報知する報知手段をさらに備える請求項７記載の通信機器。
【請求項１０】
データを処理する複数の機能のうちの一部の機能を制限する機能制限モードを設定し、
ユーザ操作に応じて入力されたデータを表示し、
通信機器との通信に応じて、機能制限モードが設定されている場合に、前記機能制限モードが設定されている旨の表示を行うか又は前記機能制限モードが設定されている旨の情報を前記通信機器に送信する制御方法。
【請求項１１】
コンピュータを、
データを処理する複数の機能を実行する機能実行手段と、
前記複数の機能のうちの一部の機能を制限する機能制限モードを設定するモード設定手段と、
ユーザ操作に応じて入力されたデータを表示する入力データ表示手段と、
通信機器と通信する通信手段と、
前記通信機器との通信に応じて、前記機能制限モードが設定されている場合に、前記機能制限モードが設定されている旨の表示を行うか又は前記機能制限モードが設定されている旨の情報を前記通信機器に送信する設定情報表示送信手段
として機能させるためのプログラム。
【請求項１２】
第１の時刻から第２の時刻までの時間を設定時間として記憶させ、
前記設定時間内で、電子機器が機能制限状態であるか否かを示す制限状態情報と前記電子機器の識別情報とを受信し、
前記設定時間の経過後に、前記制限状態情報と前記電子機器の識別情報を受信し、
前記設定時間の経過後に受信された識別情報が前記設定時間内で受信された識別情報と同じであり、前記設定時間の経過後に受信された制限状態情報が機能制限状態であることを示す場合、前記機能制限状態の解除を前記電子機器に通知する制御方法。
【請求項１３】
コンピュータを、
第１の時刻から第２の時刻までの時間を設定時間として記憶させる設定時間記憶手段と、
前記設定時間内で、電子機器が機能制限状態であるか否かを示す制限状態情報と前記電子機器の識別情報とを受信する第１受信手段と、
前記設定時間の経過後に、前記制限状態情報と前記電子機器の識別情報を受信する第２受信手段と、
前記第２受信手段により受信された前記電子機器の前記識別情報と同じ識別情報が前記第１受信手段により受信されており、前記第２受信手段により受信された制限状態情報が機能制限状態であることを示す場合、前記機能制限状態の解除を前記電子機器に通知する解除通知手段として機能させるためのプログラム。
【発明の詳細な説明】
【技術分野】
【０００１】
本発明は、電子機器、通信機器、制御方法、及びプログラムに関する。
【背景技術】
【０００２】
従来の電子機器（電卓）では、試験モードが設定された場合に、演算機能の使用を禁止し、演算機能の使用が禁止されていることを示す機能制限状態を表示することができる（例えば、特許文献１参照）。機能制限状態は、表示画面の下部に設けられた機能表示領域において小さなシンボル等により表示される。これにより、電卓の使用者は、表示画面に表示される機能制限状態を確認して、演算機能が使用禁止になっていることを確認できる。
【先行技術文献】
【特許文献】
【０００３】
【特許文献１】特許第４１３４４１６号公報
【発明の概要】
【発明が解決しようとする課題】
【０００４】
このように特許文献１に記載された従来技術では、電卓に試験モードが設定されたことを機能制限状態の表示によって確認することができる。しかし、例えば試験中の生徒が使用する電卓が試験モードに設定されているかを、試験官等が確認する際には、小さな画面中の機能表示領域では確認するのが困難である。また、試験モードに設定されているかを電卓の表示画面に大きく表示すれば試験官による確認が容易となるが、試験中の生徒によるそれまでの操作を中断あるいは無効にしてしまう。
【０００５】
本発明は以上のような課題に考慮してなされたもので、機能制限するモードに設定された電子機器の状態を、電子機器に対する操作を妨げることなく容易に確認することが可能な電子機器、通信機器、制御方法、及びプログラムを提供することを目的とする。
【課題を解決するための手段】
【０００６】
上記の課題を解決するために、本発明に係る電子機器は、データを処理する複数の機能を実行する機能実行手段と、前記複数の機能のうちの一部の機能を制限する機能制限モードを設定するモード設定手段と、ユーザ操作に応じて入力されたデータを表示する入力データ表示手段と、通信機器と通信する通信手段と、前記通信機器との通信に応じて、前記機能制限モードが設定されている場合に、前記機能制限モードが設定されている旨の表示を行うか又は前記機能制限モードが設定されている旨の情報を前記通信機器に送信する設定情報表示送信手段とを備える。
【発明の効果】
【０００７】
本発明によれば、機能制限するモードに設定された電子機器の状態を、電子機器に対する操作を妨げることなく容易に確認することが可能となる。
【図面の簡単な説明】
【０００８】
【図１】本実施形態に係る電子機器と通信機器を示す図。
【図２】本実施形態における関数電卓（電子機器）と通信機器との間で使用する無線通信機能の一例を示す図。
【図３】本実施形態における電子機器（関数電卓）の電子回路の構成を示すブロック図。
【図４】本実施形態における通信機器の電子回路の構成を示すブロック図。
【図５】本実施形態における電子機器の試験モードの設定に関する動作について示すフローチャート。
【図６】本実施形態における通信機器の試験モードの設定に関する動作について示すフローチャート。
【図７】本実施形態における通信機器の試験モードの設定に関する動作について示すフローチャート。
【図８】本実施形態における電子機器と通信機器の具体的な動作例について説明するための図。
【図９】本実施形態における電子機器と通信機器の具体的な動作例について説明するための図。
【発明を実施するための形態】
【０００９】
以下、図面により本発明の実施の形態について説明する。  
図１は、本発明の実施形態に係る電子機器１０と通信機器２０を示す図である。本実施形態では、電子機器１０は、例えば関数電卓１０Ｆとして実施し、通信機器２０は、例えばタブレット端末として実施するものとして説明する。通信機器２０は、タブレット端末に限定されるものではなく、ＰＤＡ（personal digital assistants）、スマートフォン、ノートＰＣ（personal computer）、ゲーム機等として構成され得る。ここでは、図１に示すように、電子機器１０（関数電卓１０Ｆ）と、通信機器２０と、通信ネットワークＮ上のサーバ３０とを備えたシステムを例に説明する。
【００１０】
電子機器１０（関数電卓１０Ｆ）は、携帯性の必要からユーザが片手で十分把持し片手で操作可能な小型サイズに構成される。電子機器１０の本体正面にはキー入力部１１および表示出力部１２が設けられる。
【００１１】
キー入力部１１には、数値や数式を入力したり計算の実行を指示したりするための数値・演算記号キー群１１１、各種の関数を入力したりメモリ機能を立ち上げたりするための関数機能キー群１１２、各種動作モードのメニュー画面を表示させたり動作モードの設定を指示したりするためのモード設定キー群１１３、表示出力部１２に表示されたカーソルの移動操作やデータ項目の選択操作などを行うためのカーソルキー１１４が備えられる。
【００１２】
数値・演算記号キー群１１１としては、［０］〜［９］（数値）キー、［＋］［−］［×］［÷］（四則記号）キー、［Ａｎｓ］［＝］（実行）キー、［ＡＣ］（クリア）キーなどが配列される。
【００１３】
関数機能キー群１１２としては、［ｘ-1］（−１乗；逆数）キーをはじめ、［√□］（ルート）キー、［□／□］（分数）キー、［ｓｉｎ］（サイン）キー、［Ｍ＋］（メモリプラス）キー、［ＯＰＴＮ］（オプション）キー、［ＲＣＬ］（メモリ呼び出し）キーなどが配列される。
【００１４】
モード設定キー群１１３としては、［ＭＥＮＵ／ＳＥＴＵＰ］キー１１５、［ＳＨＩＦＴ］（シフト）キー、［ＡＬＰＨＡ］（アルファベット）キー、［ＯＮ］（電源オン）キーなどが配列される。
【００１５】
なお、数値・演算記号キー群１１１や関数機能キー群１１２のキーは、［ＳＨＩＦＴ］キーが操作された後に続けて操作されることで、キーに割り当てられたメイン機能を指示するキーではなく、サブ機能を指示するキーとして機能する。例えば、［ＳＨＩＦＴ］＋［ＯＰＴＮ］キーは［通信］キー１１Ｑとなり、［ＳＨＩＦＴ］＋［ＭＥＮＵ／ＳＥＴＵＰ］キー１１５は［ｔｅｓｔ  ｍｏｄｅ］キー（試験モードキー）となる。［ＭＥＮＵ／ＳＥＴＵＰ］キー１１５は、単独で操作された場合には［ｍｅｎｕ］キーとなり、関数電卓１０Ｆに設けられたデータを処理する複数の機能（例えば計算モード）のメニューを表示させることができる。
【００１６】
表示出力部１２は、ドットマトリクス型の液晶表示ユニットからなる。  
関数電卓１０Ｆは、キー入力部１１のユーザ操作に応じて入力された数値、計算式の各データ、計算式に応じた計算結果のデータを近距離無線通信により接続された通信機器２０に送信する機能を備えている。また、関数電卓１０Ｆは、複数の機能のうちの一部の機能を制限する機能制限モード（試験モード）を設定するモード設定機能、試験モードの設定状態と関数電卓１０Ｆの識別情報（固有ＩＤ）を、近距離無線通信により接続された通信機器２０に送信する機能を備えている。
【００１７】
通信機器２０は、関数電卓１０Ｆとの通信に応じて、関数電卓１０Ｆに試験モードが設定されているか否かを示すモード設定情報と識別情報を受信し、モード設定情報に応じた関数電卓１０Ｆの状態を示す状態情報と識別情報と対応づけて記憶されている固有の情報を出力する情報出力機能を備えている。
【００１８】
図１（Ａ）に示すように、関数電卓１０Ｆは、キー入力部１１のユーザ操作により、例えば、不等式の計算モードが指定され、不等式「ａｘ３＋ｂｘ２＋ｃｘ＋ｄ≦０」とその変数の数値が入力され、計算実行（［＝］キー）が指示されると、計算結果「ｘ≦ａ，ｂ≦ｘ≦ｃ」「ｘ≦−３，１≦ｘ≦４」Ｇａを表示する。関数電卓１０Ｆは、試験モードが設定されている場合、通信機器２０との通信に応じて、試験モード（機能制限モード）が設定されている場合に、機能制限モードが設定されている旨の表示を行うか、又は機能制限モードが設定されている旨の情報を通信機器２０に送信する。関数電卓１０Ｆは、機能制限モードが設定されている旨を表示する場合、入力された数式や計算結果などのデータの表示に代えて、試験モードの設定状態を一時的に表示する。そして、関数電卓１０Ｆは、機能制限モードが設定されている旨の表示、又は機能制限モードが設定されている旨の情報の送信をした後に、例えば一定時間が経過した後、関数電卓１０Ｆは、入力された数式や計算結果などのデータを表示する元の表示状態に復帰させる。
【００１９】
次に、電子機器１０としての関数電卓１０Ｆと、通信機器２０との間で通信するための通信機能について説明する。
【００２０】
図２（Ａ）（Ｂ）（Ｃ）は、関数電卓１０Ｆ（電子機器１０）と通信機器２０との間で使用する無線通信機能の一例を示す図である。
【００２１】
無線通信機能としては、図２（Ａ）に示すようなBluetooth(登録商標)等の近距離無線通信、図２（Ｂ）に示すようなＮＦＣ（Near Field Communication)等の近距離無線通信、図２（Ｃ）に示すようなＷｉｆｉ（登録商標）等の無線ＬＡＮ（Local Area Network）による近距離無線通信、その他の近距離無線通信の何れを使用してもよい。
【００２２】
図２（Ａ）で示すBluetooth等の近距離無線通信を使用した場合、関数電卓１０Ｆの所定のキー（ボタン）を押下して周辺にある通信機器２０への無線による呼掛けを行なう。すると、通信機器２０において、通信可能な関数電卓１０Ｆを含む相手機器が一覧表示され、一覧表示された相手機器の中から関数電卓１０Ｆを選択して指定"Ｔａｐ"することで、関数電卓１０Ｆと通信機器２０とのペアリングが実行され互いに通信接続Ｐされる。
【００２３】
また、図２（Ｂ）で示すＮＦＣ等の近距離無線通信は、通信機器２０からの磁界に応じた誘導電流により無線通信を行なう無線通信機能である。
【００２４】
例えば、関数電卓１０Ｆに内蔵したＮＦＣタグには、通信機器２０の近距離無線通信部（無線リーダ・ライタ）２８から発生される磁界Ｗｍに応じて誘導電流が流れるコイルアンテナＡＴと、コイルアンテナＡＴに流れる誘導電流を起電力として動作するＩＣチップＩＴとが備えられる。関数電卓１０ＦのＣＰＵ１３は、ＮＦＣタグのＩＣチップＩＴと有線接続され、ＩＣチップＩＴのデータを直接読み書きできる有線リーダ・ライタ機能を備える。これにより、関数電卓１０ＦのＮＦＣタグと通信機器２０の近距離無線通信部（無線リーダ・ライタ）２８との間で無線通信Ｓｉが行われる。
【００２５】
また、図２（Ｃ）で示すＷｉｆｉ等の無線ＬＡＮによる近距離無線通信を使用した場合、ＷｉｆｉルータＲｗにより無線ＬＡＮに接続された各通信機器（関数電卓１０Ｆ／通信機器２０／パーソナルコンピュータＰＣ／ゲーム機ＨＧ等）のうち、例えば予め設定された相手の通信機器とのみペアリングが実行され互いに通信接続Ｐされるか、相手の通信機器と軽くぶつける等の衝撃を検知して相手の通信機器とのペアリングが実行され互いに通信接続Ｐされる。
【００２６】
なお、関数電卓１０Ｆ（電子機器１０）と通信機器２０は、例えばＵＳＢ（Universal Serial Bus）ケーブル、ＬＡＮケーブル等を介して接続して有線通信することも可能である。
【００２７】
図３は、本実施形態における電子機器１０（関数電卓１０Ｆ）の電子回路の構成を示すブロック図である。  
電子機器１０の電子回路は、キー入力部１１および表示出力部１２に加えて、ＣＰＵ１３、メモリ１４、記録媒体読取部１５、近距離無線通信部１６、及び有線通信部１７を備えている。
【００２８】
ＣＰＵ１３は、メモリ１４に記憶されている計算処理プログラム１４ａに従い回路各部の動作を制御し、キー入力部１１からのキー入力信号に応じた各種の演算処理を実行する。計算処理プログラム１４ａは、メモリ１４に予め記憶されていても良いし、あるいはメモリカード等の記録媒体Ｍから記録媒体読取部１５を介してメモリ１４に読み込まれて記憶されたものであっても良い。計算処理プログラム１４ａは、ユーザがキー入力部１１の操作によって書き換えできないようになっている。
【００２９】
メモリ１４には、予め機種情報１４ｂ、制限情報１４ｃ、固有ＩＤ１４ｄが所定エリアに書き換え不可能に記憶されている。機種情報１４ｂは、電子機器１０の利用用途に応じた機種を示す情報である。例えば、フランス国内において普通校において利用されることを想定して構成されたことを示す機種情報１４ｂが記憶されている。制限情報１４ｃは、試験モードがオン設定された場合に、機種情報１４ｂに応じて制限する機能を示す情報（制限対象）である。ここでは、制限情報１４ｃは、フランス普通校における試験時に使用できないようにする機能を示す。固有ＩＤ１４ｄは、電子機器１０を識別するための、個々の電子機器１０に設定された独特なＩＤデータである。なお、予め複数の機種情報１４ｂが記憶されており、ユーザ操作により何れかを選択できるようにしても良い。この場合、ＣＰＵ１３は、ユーザにより選択された機種情報１４ｂに応じた制限情報１４ｃを用いる。
【００３０】
メモリ１４には、さらに、ユーザが書き換え可能なデータを記憶するための入力データエリア１４ｅ、ユーザ操作により設定されるモード状態を記憶するためのモード設定エリアが書き換え可能に設けられる。モード設定エリアには、例えば試験モードのオン／オフを示す試験モードデータ１４ｆ（モード設定情報）が記憶される。
【００３１】
入力データエリア１４ｅには、キー入力部１１によりキー入力されたキーコードのデータが順次入力される。また、入力データエリア１４ｅには、［ＭＥＮＵ／ＳＥＴＵＰ］キー１１５の操作により設定される計算モードに応じて、入力されたデータにより構成される計算式や表のデータが書き換え可能に記憶される。計算モードには、例えば、基本計算モード、複素数計算モード、ｎ進法計算モード、行列計算モード、統計計算モード（１変数統計／２変数統計）、分布計算モード、表計算モード等が含まれる。ＣＰＵ１３は、計算処理プログラム１４ａに基づいて、入力されたデータに対して各計算モードに応じた処理をする複数の機能を実現する。
【００３２】
近距離無線通信部１６は、図２を参照して説明したように、Bluetooth、ＮＦＣ、Ｗｉｆｉ等の無線通信機能により通信機器２０と無線通信する機能を有する。  
有線通信部１７は、例えばＵＳＢ、ＬＡＮ等の有線通信機能により通信機器２０と有線通信する機能を有する。
【００３３】
電子機器１０は、ＣＰＵ１３が計算処理プログラム１４ａに記述された命令に従い回路各部の動作を制御し、ソフトウエアとハードウエアとが協働して動作することにより、後述の動作説明で述べる、試験モードの設定に関係する表示制御方法を実現するための機能を有する。
【００３４】
図４は、本実施形態における通信機器２０の電子回路の構成を示すブロック図である。  
通信機器２０の電子回路は、表示出力部２１、近距離無線通信部２８に加えて、ＣＰＵ２２、メモリ２３、記録媒体読取部２４、表示出力部２１に重ねて一体化したタッチ入力部２５、有線通信部２６、無線通信部２７、近距離無線通信部２８、音出力部２９を備えている。なお、タッチ入力部２５は電源キー等のキー入力部を含んでも良い。
【００３５】
ＣＰＵ２２は、メモリ２３に記憶されている通信処理プログラム２３ａに従い、タッチ入力部２５からのタッチ（又はキー）入力信号、あるいは無線通信部２７や近距離無線通信部２８による受信信号に応じて回路各部の動作を制御する。通信処理プログラム２３ａは、メモリ２３に予め記憶されていても良いし、あるいはメモリカード等の記録媒体Ｍから記録媒体読取部２４を介してメモリ２３に読み込まれて記憶されたものであっても良い。
【００３６】
メモリ２３には、さらに、試験モード条件２３ｂ、追試条件２３ｃ、機器登録データ２３ｄ、受信履歴データ２３ｅ等のデータがメモリ２３の各該当エリアに書き替え可能に記憶される。試験モード条件２３ｂは、電子機器１０を使用する試験の条件を示すデータであり、例えば試験を監督する試験官の入力操作によって記憶される。試験モード条件２３ｂには、例えば試験日、試験時間、制限対象のデータを含む。試験時間は、例えば試験の開始時刻と終了時刻の指定により設定しても良いし、あるいは開始日時と終了日時、開始時刻と時間の指定により設定しても良い。追試条件２３ｃは、試験モード条件２３ｂとして入力された試験日の試験（本試験）とは別に実施される試験（追試）の条件を示すデータである。試験モード条件２３ｂは、試験モード条件２３ｂと同様にして例えば試験官により入力され、試験日、試験時間、制限対象のデータを含む。機器登録データ２３ｄは、試験に使用される少なくとも１つの電子機器１０について、電子機器１０の固有ＩＤ（識別情報）と電子機器１０に固有の情報を対応づけたデータである。機器登録データ２３ｄは、例えば試験官の操作により試験開始前に入力されるもので、例えば試験を受ける生徒のそれぞれが使用する電子機器１０のデータが入力される。例えば、通信機器２０は、試験開始前に電子機器１０から固有ＩＤ１４ｄと電子機器１０に固有の情報を、近距離無線通信によって受信するようにしても良い。例えば、電子機器１０は、予め登録モードに設定されている状態において、通信機器２０と通信接続された場合に、固有ＩＤ１４ｄと予め記憶されている固有の情報を通信機器２０に送信する。固有の情報には、電子機器１０を使用する使用者（生徒）のユーザ名や整理番号（試験番号）などが含まれる。また、固有の情報は、試験モードのオン／オフを示す試験モードデータ、試験モードがオンに設定された適正な状態であることを示す情報、あるいは適正な状態にあることを通信機器２０から出力させるための情報（表示データ、適正状態である旨を通知するための所定のパターン（ピンポン音）の音声データ）などであっても良い。なお、固有の情報は、通信機器２０において監督官の操作により入力されても良い。また、機器登録データ２３ｄは、近距離無線通信ではなく、電子機器１０の表示出力部１２に表示されたコード（例えば２次元コード）をカメラ（図示せず）により撮影し、２次元コードをデコードすることにより入力しても良い。この場合、電子機器１０には、固有ＩＤ１４ｄと電子機器１０に固有の情報とを含む２次元コードを生成して、表示する機能が設けられるものとする。受信履歴データ２３ｅは、試験時間中に近距離無線通信によって電子機器１０から受信したデータの履歴を示すデータである。受信履歴データ２３ｅには、それぞれの電子機器１０から受信される固有ＩＤ、機種情報、試験モードデータ、データの受信時刻が含まれる。
【００３７】
有線通信部２６は、例えばＵＳＢ等の有線通信機能により電子機器１０と有線通信する機能を有する。  
無線通信部２７は、公衆無線電話通信網を通じて、ネットワークＮに接続する機能を有する。  
近距離無線通信部２８は、図２を参照して説明したように、Bluetooth、ＮＦＣ、Ｗｉｆｉ等の無線通信機能により電子機器１０と無線通信する機能を有する。  
音出力部２９は、通信処理プログラム２３ａに基づくＣＰＵ２２の制御により、各種パターンの電子音などを出力する。
【００３８】
通信機器２０は、ＣＰＵ２２が通信処理プログラム２３ａに記述された命令に従い回路各部の動作を制御し、ソフトウエアとハードウエアとが協働して動作することにより、後述の動作説明で述べる、電子機器１０において設定される試験モードの設定に関係する情報出力方法を実現するため機能を有する。
【００３９】
次に、本実施形態における電子機器１０（関数電卓１０Ｆ）の動作について説明する。図５は、本実施形態における電子機器１０の試験モードの設定に関する動作について示すフローチャートである。
【００４０】
ここでは、生徒が試験を受ける場合に電子機器１０（関数電卓１０Ｆ）を使用する場合を例にして説明する。生徒は、電子機器１０を試験中に使用できるが、電子機器１０が有する全ての機能を使用することができないものとする。このため、生徒は、試験開始前に試験モードを設定することにより電子機器１０を機能制限する。試験中、試験を監督する試験官は、近距離無線通信により通信機器２０と電子機器１０とを無線通信させて、電子機器１０に記憶された試験モードデータ１４ｆを通信機器２０により受信させる。例えば、通信機器２０と電子機器１０とが図２（Ｂ）に示すＮＦＣにより近距離無線通信をする場合、試験官は、各生徒が使用する電子機器１０に通信機器２０を近接させることで、通信機器２０により試験モードデータ１４ｆを受信させることができる。試験官は、試験モードデータに応じて表示される通信機器２０の画面もとに、電子機器１０に正しく試験モードが設定されているかを確認する。
【００４１】
まず、電子機器１０のＣＰＵ１３は、キー入力部１１の［ｔｅｓｔ  ｍｏｄｅ］キー（試験モードキー）（［ＳＨＩＦＴ］＋［ＭＥＮＵ／ＳＥＴＵＰ］キー１１５）の操作により試験モードの設定が指示されると（ステップＡ１、Ｙｅｓ）、機器状態を試験モードに設定すると共に、試験モードデータ１４ｆを試験モードオン状態にする（ステップＡ２）。すなわち、ＣＰＵ１３は、制限情報１４ｃに応じて、電子機器１０に設けられた複数の機能のうち、予め設定された一部の機能を使用不可状態にする。
【００４２】
なお、ＣＰＵ１３は、［ＭＥＮＵ／ＳＥＴＵＰ］キー１１５（メニューキー）の操作によりメニュー表示が指示された場合（ステップＡ９、Ｙｅｓ）、試験モードデータ１４ｆを参照して試験モードがオン状態であるかを判別する。試験モードが設定されていない場合（ステップＡ１０、Ｎｏ）、ＣＰＵ１３は、複数の機能（計算モード）のそれぞれに対応するアイコンが一覧表示されたメニューを表示出力部１２に表示させる。この場合、電子機器１０は、メニューから選択される何れの機能についても実行可能である。
【００４３】
一方、メニュー表示が指示された場合に（ステップＡ９、Ｙｅｓ）、試験モードがオン状態であれば（ステップＡ１０、Ｙｅｓ）、ＣＰＵ１３は、複数の機能（計算モード）のそれぞれに対応するアイコンのうち、機能制限された機能のアイコンに使用不可を表す画像を付加したメニューを表示出力部１２に表示させる（ステップＡ１１）。生徒は、メニューに表示されたアイコンを参照して、使用可能な機能と使用不可の機能を認識することができる。生徒は、試験中において、電子機器１０の使用可能な機能のみを使用して試験を受ける。
【００４４】
ＣＰＵ１３は、例えば、通信機器２０が近接されることにより、近距離無線通信部１６と通信機器２０の近距離無線通信部２８との間で通信可能になると（ステップＡ３、Ｙｅｓ）、通信機器２０との通信に応じて、試験モードのオン／オフ状態を示す試験モードデータ１４ｆを出力する。すなわち、ＣＰＵ１３は、通信機器２０に対して、固有ＩＤ１４ｄ、制限情報１４ｃ、及び試験モードのオン／オフの状態を示す試験モードデータ１４ｆを通信機器２０に送信する（ステップＡ４）。これにより、通信機器２０において、電子機器１０が試験モードに設定されていることを判別させることができる。また、ＣＰＵ１３は、試験モード中である場合（ステップＡ５、Ｙｅｓ）、表示出力部１２の表示画面を「試験モード中」である旨の画面に切り替えて表示する（ステップＡ６）。これにより、電子機器１０の表示出力部１２において、試験モードが設定されていることを確認かすることができる。なお、ＣＰＵ１３は、通信機器２０との通信があった場合には、通信履歴を記憶しておく。
【００４５】
表示を切り替えた後、予め設定された時間（例えば、２秒）が経過すると、ＣＰＵ１３は、表示出力部１２の表示画面を、通信機器２０と通信する前の元の状態に切り替える。例えば、キー入力部１１の操作によって入力された数値や数式が表示出力部１２に表示している時に通信機器２０と通信した場合には、電子機器１０は、短時間のみ「試験モード中」である旨の画面を表示した後、入力された数値や数式を表示する元の状態に復帰する。従って、生徒は、数値や数式の入力操作を継続して行うことができる。
【００４６】
なお、ＣＰＵ１３は、通信機器２０との通信時に（ステップＡ３，Ａ４）、試験モード中でない場合（ステップＡ５、Ｎｏ）、表示出力部１２の表示画面を「試験モード中」でない旨の画面に切り替えて表示するものとする。
【００４７】
試験時間が終了した後、通信機器２０との通信によって試験モード解除データを受信した場合（ステップＡ７、Ｙｅｓ）、ＣＰＵ１３は、試験モードを解除して、全ての機能を使用可能な状態にすると共に、試験モードデータ１４ｆを試験モードオフ状態にする（ステップＡ８）。試験モード解除データは、試験時間中に通信機器２０に対して、試験モードオン状態を示す試験モードデータ１４ｆを送信済みである場合に受信される。すなわち、電子機器１０は、試験モードを設定した後、例えば試験時間中などにおいて、ユーザ操作によって試験モードを解除が解除されないようにしている。詳細については、後述する通信機器２０の動作において説明する。
【００４８】
次に、本実施形態における通信機器２０の動作について説明する。図６及び図７は、本実施形態における通信機器２０の試験モードの設定に関する動作について示すフローチャートである。
【００４９】
通信機器２０は、電子機器１０について試験モード確認をするために使用する場合、試験開始前に予め試験モード条件と追試条件が、例えば試験官の操作によって入力される。ＣＰＵ２２は、タッチ入力部２５に対する操作によって試験モード条件設定が指示されると（ステップＢ１、Ｙｅｓ）、表示出力部２１に設定画面を表示する。ＣＰＵ２２は、設定画面を通じて入力される試験日と試験時間を設定し（ステップＢ２）、また、制限対象のデータを設定する（ステップＢ３）。制限対象のデータとしては、例えば「フランス普通校用」が設定される。ＣＰＵ２２は、設定した試験日、試験時間、制限対象のデータを試験モード条件２３ｂとしてメモリ２３の該当エリアに書き換え可能に記憶されている。さらに、ＣＰＵ２２は、表示出力部２１に追試条件設定用の設定画面を表示し、この設定画面を通じて追試の試験日と試験時間を入力する。ＣＰＵ２２は、入力された追試の試験日と試験時間を、追試条件２３ｃとしてメモリ２３の所定エリアに登録する（ステップＢ４）。なお、追試の制限対象のデータは、試験モード条件２３ｂと同じデータが記憶されている。
【００５０】
次に、通信機器２０は、電子機器１０について試験モード確認に使用する際、例えば試験官の操作によって試験モード確認の実行が指示される。試験モード確認が指示されると（ステップＢ５、Ｙｅｓ）、ＣＰＵ２２は、テストモード条件２３ｂに設定されている内容、例えば試験日、試験時間、制限対象（ここでは、フランス普通校用）を表示出力部２１に表示させる（ステップＢ６）。制限対象については、電子機器１０において制限されている機能を明示する表示を追加する。
【００５１】
例えば、試験官は、試験を受ける生徒に対して、電子機器１０に対して試験モードを設定するように指示した後、試験が開始される直前、あるいは試験時間中に、通信機器２０と各生徒が使用する電子機器１０とを通信させることで、電子機器１０の試験モードの設定状況を確認する。
【００５２】
ＣＰＵ２２は、電子機器１０との通信があると（ステップＢ７、Ｙｅｓ）、電子機器１０から固有ＩＤ、機種情報、試験モードデータ（試験モードオン／オフ情報）を受信する（ステップＢ８）。ＣＰＵ２２は、電子機器１０から受信されたデータを、受信履歴データ２３ｅとしてメモリ２３に登録する。
【００５３】
ここで、試験モードデータをもとに、電子機器１０において試験モードが設定されている（試験モードオン状態）ことが判別された場合（ステップＢ１１、Ｙｅｓ）、ＣＰＵ２２は、電子機器１０の試験モードがオン状態であり、適正状態である旨を報知する（ステップＢ１２）。例えば、ＣＰＵ２２は、適正状態である旨を試験官に通知するための所定のパターンの音（ピンポン音）を音出力部２９から出力させる。また、ＣＰＵ２２は、表示出力部１２において、電子機器１０から受信されたデータをもとに受信履歴を表示させる。受信履歴には、例えば、電子機器１０から受信した固有ＩＤに対応するユーザ名、試験モードの状態（オン状態）、確認時刻（電子機器１０から試験モードデータを受信した時刻）を表示する。受信履歴では、例えば試験モードオン状態であることが容易に識別可能とするため、特定の表示色（例えば青色）により表示する。なお、固有ＩＤに対応するユーザ名は、固有ＩＤをもとに機器登録データ２３ｄを参照することにより取得することができる。
【００５４】
一方、ＣＰＵ２２は、試験モードデータをもとに、電子機器１０において試験モードが設定されていない（試験モードオフ状態）ことが判別された場合（ステップＢ９、Ｙｅｓ）、ＣＰＵ２２は、電子機器１０の試験モードがオフ状態であり、不適状態である旨を報知する（ステップＢ１０）。例えば、ＣＰＵ２２は、不適状態である旨を試験官に通知するための所定のパターンの音（ピーピー音）を音出力部２９から出力させる。また、ＣＰＵ２２は、表示出力部１２において、電子機器１０から受信されたデータをもとに受信履歴を表示する。受信履歴には、例えば、電子機器１０から受信した固有ＩＤに対応するユーザ名、試験モードの状態（オフ状態）、確認時刻（電子機器１０から試験モードデータを受信した時刻）を表示する。受信履歴では、例えば試験モードオフ状態であることが容易に識別可能とするため、特定の表示色（例えば赤色）にすると共に、試験モードオン状態とは異なる文字形状（例えば斜体文字）により表示する。
【００５５】
こうして、通信機器２０は、試験時間中に、各生徒が使用する電子機器１０と無線通信することで、試験モードの設定状態を示すデータを受信してメモリ２３に登録すると共に、電子機器１０における試験モードの設定状態を報知することで試験官等に確認させることができる。試験官は、電子機器１０の表示画面を見ることなく、電子機器１０における試験モードの設定状態を容易に確認することができ、生徒による電子機器１０に対する操作を妨げることがない。
【００５６】
次に、電子機器１０に設定された試験モードを解除する方法について説明する。  
通信機器２０のＣＰＵ２２は、監督官等による入力操作により解除モードが指示される、あるいは試験モード条件２３ｂに設定された試験時間が終了すると（ステップＢ１３、Ｙｅｓ）、直近に終了した試験に関する、ストモード条件２３ｂに設定されている内容、例えば試験日、試験時間、制限対象を表示出力部２１に表示させる（ステップＢ１４）。試験官は、表示出力部２１の表を参照することで試験モードの解除対象とする試験を確認する。
【００５７】
試験官は、通信機器２０と、試験を終了した生徒が使用する電子機器１０とを通信させる。ＣＰＵ２２は、電子機器１０との通信があると（ステップＢ１５、Ｙｅｓ）、電子機器１０から固有ＩＤ、機種情報、試験モードデータ（試験モードオン／オフ情報）を受信する（ステップＢ１６）。ＣＰＵ２２は、電子機器１０から受信された固有ＩＤと同じ固有ＩＤと対応づけられた試験モードオン状態を示す試験モードデータが、今回の受信より前に、受信履歴データ２３ｅとして登録されているかを確認する。すなわち、試験開始前、あるいは試験中に、電子機器１０に試験モードが設定されていることが通信機器２０を用いて確認済みであるかを判別する。
【００５８】
試験モードオン状態を示す試験モードデータが登録済みの場合（ステップＢ１７、Ｙｅｓ）、ＣＰＵ２２は、今回、電子機器１０から受信された試験モードデータが、試験モードオン情報あるいは試験モードオフ情報の何れを示すか判別する。
【００５９】
ここで、試験モードオフ情報を示す場合（ステップＢ１９、Ｙｅｓ）、ＣＰＵ２２は、「試験モードにせずに試験を受けた旨」を表示出力部２１に表示させる共に、エラー音を表す所定のパターンの音（ブッブーブッブー音）を音出力部２９から出力させる（ステップＢ２０）。すなわち、試験中、電子機器１０に試験モードが設定されていることを確認済みであるが、試験終了後に、正規の手続きをすることなく（試験モード解除データを受信することなく）試験モードが解除されている場合には、不正に電子機器１０が利用された可能性があるため警告を報知する。
【００６０】
一方、試験モードオン情報を示す場合（ステップＢ２１、Ｙｅｓ）、ＣＰＵ２２は、電子機器１０に対して試験モード解除データを送信し、電子機器１０に設定された試験モードを解除させる。ＣＰＵ２２は、試験モードが適正に解除された旨の報知として、今回、電子機器１０から受信された固有ＩＤに対応するユーザ名と、試験モード解除を表示出力部２１に表示させる共に、試験モード解除を表す所定のパターンの音（ピンポンピンポン音）を音出力部２９から出力させる（ステップＢ２３）。こうして、試験終了後に電子機器１０から試験モードデータを受信することにより、電子機器１０に正しく試験モードが設定されて試験に使用されたことを確認することができ、また電子機器１０に設定された試験モードを解除させることができる。
【００６１】
なお、電子機器１０から受信された固有ＩＤに対応する試験モードデータが受信履歴データ２３ｅに登録されていない場合（ステップＢ１７、Ｎｏ）、ＣＰＵ２２は、試験モード設定未確認である旨のエラー報知として「試験モード確認データ無しエラー」を表示出力部２１に表示させると共に、エラー音を表す所定のパターンの音（ブーブー音）を音出力部２９から出力させる（ステップＢ１８）。また、ＣＰＵ２２は、試験モードデータが受信履歴データ２３ｅに登録されていない場合、電子機器１０に対して試験モード設定未確認である旨のエラーを通知して表示させる。
【００６２】
こうして、試験終了後に電子機器１０から試験モードデータを受信することで、正しく試験モードが解除されていない、あるいは試験モードが設定されたことが試験中に確認されていない、不正な状態の電子機器１０を確認することができる。
【００６３】
こうした不正な状態が確認された電子機器１０がある場合には、この電子機器１０を使用する生徒に対して、追試条件２３ｃに設定した内容で追試を受けさせることができる。追試では、前述と同様にして、電子機器１０に試験モードを設定して使用し、試験期間中に通信機器２０により試験モードの設定状態を確認するものとする。追試終了後に、電子機器１０に正しく試験モードが設定されて追試に使用されたことが確認された場合に、通信機器２０から電子機器１０に対して試験モード解除データが送信され、電子機器１０の試験モードが解除される。
【００６４】
次に、前述した電子機器１０と通信機器２０の具体的な動作例について、図８及び図９を参照しながら説明する。  
図８（Ａ２）は、例えば生徒「井上さん」が使用する電子機器１０が試験モードに設定され、メニューキーの操作によりメニュー表示が表示された例を示している。電子機器１０は、図８（Ａ２）に示すように、メニューにおいて、試験モードが設定されていることを表すメッセージ「EXAMINATION MODE」と共に、例えば８つの機能のうち６つの機能に対応するアイコンに使用不可を表す画像（×表示）を付加する。
【００６５】
メニューでは、カーソルキー１１４の操作により何れかのアイコンを選択し、［＝］（実行）キーの操作によって機能の実行を指示することができる。ここでは、機能制限されていない機能のアイコンのみが選択可能となる。ここで、例えばメニューの上段左端のアイコンが選択され、基本計算モードの実行が指示されたものとする。この場合、生徒は、基本計算モードにおいて、キー入力部１１に対する操作によって、図８（Ａ３）に示すように数式等を入力することができる。
【００６６】
試験中の通信機器２０は、例えば図８（Ｂ１）に示すように、試験モード設定条件の内容（試験日、試験時間、制限対象）を表示している。制限対象については、電子機器１０に表示されるメニューと同様の機能制限された機能が明示されたメニューと、機能制限された機能の名称（積分、微分…）が表示される。
【００６７】
試験中に、通信機器２０は、電子機器１０と通信することにより、電子機器１０から送信される試験モードデータにより試験モードオン状態を判別することができる。この場合、通信機器２０の画面には、図８（Ｂ１）に示すように、通信履歴として、ユーザ名「井上」と試験モード「ＯＮ状態」が表示される。通信機器２０を操作する試験官は、通信履歴の一覧表示を参照することにより、試験モードの設定状態を確認することができる。また、電子機器１０は、図８（Ａ１）に示すように、通信機器２０との通信に応じて、試験モード中であることを表すメッセージ「EXAMINATION MODE CHECK OK」を一定時間表示した後、図８（Ａ３）に示す元の表示状態に戻す。
【００６８】
図８（Ａ５）は、例えば生徒「山田さん」が使用する電子機器１０が試験モードに設定されないで、メニューキーの操作によりメニュー表示が表示された例を示している。この場合、電子機器１０は、図８（Ａ５）に示すように、全ての機能（８つの機能）が使用可能であることを表すメニューを表示させる。
【００６９】
この場合、前述と同様にして、カーソルキー１１４の操作により何れかのアイコンを選択し、［＝］（実行）キーの操作によって機能の実行を指示することができる。例えば、図８（Ａ６）に示すように、基本計算モードにより数式等を入力することができる。
【００７０】
試験中に、通信機器２０は、電子機器１０と通信することにより、電子機器１０から送信される試験モードデータにより試験モードオフ状態を判別することができる。この場合、通信機器２０の画面には、図８（Ｂ２）に示すように、通信履歴として、ユーザ名「山田」と試験モード「ＯＦＦ状態」が表示される。通信機器２０を操作する試験官は、通信履歴の一覧表示を参照することにより、試験モードの設定状態を確認することができる。また、電子機器１０は、図８（Ａ４）に示すように、通信機器２０との通信に応じて、試験モード中でないことを表すメッセージ「EXAMINATION MODE CHECK NG」を一定時間表示した後、図８（Ａ６）に示す元の表示状態に戻す。
【００７１】
例えば、前述のようにして、通信機器２０により試験モードが設定されていないことが確認された時、試験開始前であれば（あるいは試験時間中でも認められている場合には）、この時点で電子機器１０に試験モードを設定することができる。試験モードを設定した場合には、メニューキーの操作により図８（Ａ７）に示すように、機能の一部が制限されたメニューが表示される。その後、通信機器２０は、２回目の電子機器１０との通信によって試験モードが設定されていることが確認された場合、通信履歴に表示された「山田さん」の試験モードＯＦＦ状態の表示を、対応済みを表す表示（例えば抹消線の追加）に変更する。また、通信機器２０は、２回目の電子機器１０との通信履歴として、ユーザ名「山田」と試験モード「ＯＮ状態」を表示させる。こうして、通信機器２０は、同じ電子機器１０との複数回の通信によって、それぞれの通信時の試験モードの状態を登録して、試験官により確認させることができる。
【００７２】
図９は、試験終了後の具体的な動作を説明するための図である。図９（Ａ２）は、生徒「井上さん」が使用する電子機器１０の試験終了時に、メニューキーの操作によりメニュー表示が表示された例を示している。この場合、電子機器１０は、試験モードが設定された状態のままであるため、図９（Ａ２）に示すように、機能の一部が使用不可となっていることを表すメニューを表示させる。試験終了後に、通信機器２０は、電子機器１０と通信することで、試験モード中であることが確認されると、試験中の通信によって試験モードのＯＮ状態が登録済みであるため、電子機器１０に対して試験モード解除データを送信する。また、通信機器２０は、図９（Ｂ１）に示すように、通信履歴として、ユーザ名「井上」について試験モード「解除済」を表示させる。一方、電子機器１０は、通信機器２０から試験モード解除データを受信すると試験モードを解除し、図９（Ａ１）に示すように、試験モードが解除されたことを表すメッセージ「EXAMINATION MODE OFF(EXIT)」を一定時間表示した後、元の表示状態に戻す。この場合、電子機器１０は、メニューキーの操作によりメニュー表示が指示されると、図９（Ａ３）に示すように、全ての機能が利用可能な機能制限されていないメニューを表示させる。すなわち、電子機器１０は、電子機器１０に設けられた全ての機能が使用可能な通常の使用状態に戻る。
【００７３】
図９（Ａ５）は、例えば生徒「林さん」が使用する電子機器１０の試験終了時に、メニューキーの操作によりメニュー表示が表示された例を示している。「林さん」が使用する電子機器１０では、試験モードが設定されているため機能の一部が制限されている。しかし、試験中に通信機器２０によって試験モードの設定状態が確認されていないものとする。この場合、通信機器２０は、試験終了後に電子機器１０と通信して試験モードデータを受信した際に、今回の受信より前に試験モードの履歴に登録データがないため、図９（Ｂ２）に示すように、試験モード設定未確認であることを示すように、ユーザ名「林」について「データ無しエラー」を表示する。この場合、通信機器２０は、「林さん」に追試をさせるため、表示出力部２１に追試条件を表示させる。また、通信機器２０は、電子機器１０に対して試験モード設定未確認である旨のエラーを通知して、図９（Ａ２）に示すように、エラーメッセージ「EXAMINATION MODE ERROR! (NO DATA)」を表示させる。この場合、電子機器１０は、試験モードが解除されないため、メニューキーが操作された場合、図９（Ａ６）に示すように、機能制限されたメニューを表示させる。電子機器１０は、追試において使用され、追試時間中に通信機器２０により試験モードが設定されていることが確認された場合に、追試時間後に通信機器２０から送信される試験モード解除データに応じて試験モードを解除する。
【００７４】
なお、前述した説明では、電子機器１０として関数電卓１０Ｆを例にして説明しているが、その他の機器を対象とすることができる。例えば、電子機器１０として、電子辞書、パーソナルコンピュータ、スマートフォンなどを対象とすることも可能である。電子辞書、パーソナルコンピュータ、スマートフォンには、機能制限モード（試験モード）を設定することで、特定の機能の使用を制限する機能（アプリケーション）を設け、予め設定された所定の期間内に、その他の通信機器２０との通信に応じて、機能制限モードが設定されているか否かを示すモード設定情報を送信する。
【００７５】
また、実施形態において記載した手法、すなわち図５〜図７のフローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した機能と同様の処理を実現することができる。
【００７６】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【００７７】
なお、本願発明は、実施形態に限定されるものではなく、実施段階ではその要旨を逸脱しない範囲で種々に変形することが可能である。さらに、実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７８】
以下に、本願出願の当初の特許請求の範囲に記載された発明を付記する。  
［１］  データを処理する複数の機能を実行する機能実行手段と、
前記複数の機能のうちの一部の機能を制限する機能制限モードを設定するモード設定手段と、
ユーザ操作に応じて入力されたデータを表示する入力データ表示手段と、
通信機器と通信する通信手段と、
前記通信機器との通信に応じて、前記機能制限モードが設定されている場合に、前記機能制限モードが設定されている旨の表示を行うか又は前記機能制限モードが設定されている旨の情報を前記通信機器に送信する設定情報表示送信手段と、
を備える電子機器。
【００７９】
［２］  前記設定情報表示送信手段により表示、又は送信した後に、前記ユーザ操作により入力されたデータの表示状態にする表示制御手段を備える請求項１記載の電子機器。
【００８０】
［３］  前記設定情報表示送信手段は、前記機能制限モードが設定されているか否かを示すモード設定情報の表示を行うか又は前記モード設定情報を前記通信機器に送信する、ことを特徴とする請求項１に記載の電子機器。
【００８１】
［４］  前記設定情報表示送信手段は、前記機能制限モードが設定されている場合に、前記機能制限モードが設定されている旨の表示を行う請求項３記載の電子機器。
【００８２】
［５］  前記通信機器との通信によって、前記機能制限モードの解除が通知された場合に、前記機能制限モードを解除するモード解除手段をさらに備える請求項１記載の電子機器。
【００８３】
［６］  前記モード解除手段は、前記通信機器との通信に応じて、前記機能制限モードが設定されていることを示すモード設定情報を送信した後、前記機能制限モードの解除が通知されない場合に、前記機能制限モードを解除しない請求項５記載の電子機器。
【００８４】
［７］  第１の時刻から第２の時刻までの時間が設定時間として記憶されている設定時間記憶手段と、
前記設定時間内で、電子機器が機能制限状態であるか否かを示す制限状態情報と前記電子機器の識別情報とを受信する第１受信手段と、
前記設定時間の経過後に、前記制限状態情報と前記電子機器の識別情報を受信する第２受信手段と、
前記第２受信手段により受信された前記電子機器の前記識別情報と同じ識別情報が前記第１受信手段により受信されており、前記第２受信手段により受信された制限状態情報が機能制限状態であることを示す場合、前記機能制限状態の解除を前記電子機器に通知する解除通知手段と、
を備える通信機器。
【００８５】
［８］  前記電子機器の識別情報と前記電子機器に固有の情報を対応づけて記憶している機器情報記憶手段と、
前記第１受信手段により受信された制限状態情報に対応する情報と前記識別情報と対応づけて記録された前記固有の情報とを出力する情報出力手段とさらに備える請求項７に記載の通信機器。
【００８６】
［９］  前記第２受信手段により受信された前記電子機器の前記識別情報と同じ識別情報が前記第１受信手段により受信されており、前記制限状態情報が機能制限状態ではないことを示す情報である場合、前記機能制限状態ではないことを報知する報知手段をさらに備える請求項７記載の通信機器。
【００８７】
［１０］  データを処理する複数の機能のうちの一部の機能を制限する機能制限モードを設定し、
ユーザ操作に応じて入力されたデータを表示し、
通信機器との通信に応じて、機能制限モードが設定されている場合に、前記機能制限モードが設定されている旨の表示を行うか又は前記機能制限モードが設定されている旨の情報を前記通信機器に送信する制御方法。
【００８８】
［１１］  コンピュータを、
データを処理する複数の機能を実行する機能実行手段と、
前記複数の機能のうちの一部の機能を制限する機能制限モードを設定するモード設定手段と、
ユーザ操作に応じて入力されたデータを表示する入力データ表示手段と、
通信機器と通信する通信手段と、
前記通信機器との通信に応じて、前記機能制限モードが設定されている場合に、前記機能制限モードが設定されている旨の表示を行うか又は前記機能制限モードが設定されている旨の情報を前記通信機器に送信する設定情報表示送信手段
として機能させるためのプログラム。
【００８９】
［１２］  第１の時刻から第２の時刻までの時間を設定時間として記憶させ、
前記設定時間内で、電子機器が機能制限状態であるか否かを示す制限状態情報と前記電子機器の識別情報とを受信し、
前記設定時間の経過後に、前記制限状態情報と前記電子機器の識別情報を受信し、
前記設定時間の経過後に受信された識別情報が前記設定時間内で受信された識別情報と同じであり、前記設定時間の経過後に受信された制限状態情報が機能制限状態であることを示す場合、前記機能制限状態の解除を前記電子機器に通知する制御方法。
【００９０】
［１３］  コンピュータを、
第１の時刻から第２の時刻までの時間を設定時間として記憶させる設定時間記憶手段と、
前記設定時間内で、電子機器が機能制限状態であるか否かを示す制限状態情報と前記電子機器の識別情報とを受信する第１受信手段と、
前記設定時間の経過後に、前記制限状態情報と前記電子機器の識別情報を受信する第２受信手段と、
前記第２受信手段により受信された前記電子機器の前記識別情報と同じ識別情報が前記第１受信手段により受信されており、前記第２受信手段により受信された制限状態情報が機能制限状態であることを示す場合、前記機能制限状態の解除を前記電子機器に通知する解除通知手段として機能させるためのプログラム。
【符号の説明】
【００９１】
１０…電子機器、１０Ｆ…関数電卓、１１…キー入力部、１１１…数値・演算記号キー群、１１２…関数機能キー群、１１３…モード設定キー群、１１４…カーソルキー、１２…表示出力部、１３…ＣＰＵ、１４…メモリ、１４ａ…計算処理プログラム、１４ｄ…固有ＩＤ、１４ｅ…入力データエリア、１５…記録媒体読取部、１６…近距離無線通信部、１７ー有線通信部、２０…通信機器、２１…表示出力部、２２…ＣＰＵ、２３…メモリ、２３ａ…通信処理プログラム、２６…有線通信部、２７…無線通信部、２８…近距離無線通信部、３０…サーバ、Ｎ…通信ネットワーク。
【図１】
2017174191.tif 000003
【図２】
2017174191.tif 000004
【図３】
2017174191.tif 000005
【図４】
2017174191.tif 000006
【図５】
2017174191.tif 000007
【図６】
2017174191.tif 000008
【図７】
2017174191.tif 000009
【図８】
2017174191.tif 000010
【図９】
2017174191.tif 000011